(57)【要約】【課題】  麻雀遊技の技量の程度に拘わらず、配牌後に狙うべき上がり役を遊技者に速やかに決定させ得るように構成した雀球遊技機を提供する。【解決手段】  雀球遊技機では、上がり役選択手段としてのタッチパネルＴＰ及び上がり役選択プログラムが、完成可能性が高い順に複数種の上がり役を上がり役表示部５５ａ〜５９ａに表示してその中から上がり役を選択させ、予想得点算出プログラムが、選択された被選択上がり役の完成時の予想得点を逐次算出し、表示制御プログラムが、算出予想得点を被選択上がり役に対応させた形で予想得点表示部５５ｂ〜５９ｂに表示する。これにより、麻雀遊技に不慣れな遊技者がどの上がり役を狙うかの選択に迷って遊技進行の迅速化を損なうような問題の発生を回避することができる。【選択図】      図４
2006230521.tif 000002
【特許請求の範囲】
【請求項１】
複数の牌種からなる麻雀牌の図柄に対応させて遊技盤面内に設けられた複数の入球口と、種々の遊技情報を表示する表示装置とを備え、前記各入球口への遊技球の入球により得られた手牌の麻雀牌図柄の組合せによって上がり役を成立させるように遊技し得る雀球遊技機であって、
複数種の上がり役を配牌に基づいた役完成の可能性が高い順に前記表示装置に表示してこれら複数種の上がり役のうちから所望の上がり役を選択させる上がり役選択手段と、
前記上がり役選択手段にて選択された被選択上がり役の完成時の予想得点を、前記各入球口への遊技球の入球で得られる手牌の図柄組合せの変化に応じて逐次算出する予想得点算出手段と、
前記予想得点算出手段によって算出された予想得点を前記被選択上がり役に対応させた形で前記表示装置に表示する表示制御手段とを備えてなる、
ことを特徴とする雀球遊技機。
【請求項２】
前記表示制御手段は、開始された１ゲームの進行中、順次変化する手牌の状態に応じて前記被選択上がり役の完成時の予想得点を随時変更しつつ表示してなる、
ことを特徴とする請求項１に記載の雀球遊技機。
【請求項３】
開始された１ゲーム内にて前記遊技盤面に向けて発射可能な遊技球の個数を検出する遊技球数検出手段を更に備え、
前記予想得点算出手段は更に、前記被選択上がり役の完成時に、前記遊技球数検出手段にて検出された遊技球数を確認しつつ、開始された１ゲームの終了までに前記被選択上がり役を超える得点を得られる上がり役の完成に要する牌数を算出し、
前記表示制御手段は更に、前記予想得点算出手段による前記牌数の算出結果を前記表示装置に表示してなる、
ことを特徴とする請求項１又は２に記載の雀球遊技機。
【請求項４】
前記表示装置に前記配牌として表示すべき所定数の麻雀牌図柄を１ゲームの開始に際して自動決定する配牌図柄決定手段を更に備えてなる、
ことを特徴とする請求項１ないし３のいずれか１項に記載の雀球遊技機。
【発明の詳細な説明】
【技術分野】
【０００１】
本発明は、雀球遊技機に係り、詳しくは、複数種の上がり役の中から遊技者にとって有利となる上がり役を容易に選択できるように構成した雀球遊技機に関する。
【背景技術】
【０００２】
従来、各種遊技部品が配置された遊技盤の下部に、麻雀牌の図柄を付した所定数の入球口を備え、メダル投入口に遊技メダル（以下、単に「メダル」とも言う）が投入された後、例えば１ゲーム当たり１４個の遊技球が遊技盤面上に打ち出されて各遊技球が何れかの入球口に入球した際、当該入球口に対応する麻雀牌の図柄が、上記遊技盤面上に配置された表示装置に表示されるように機能する雀球遊技機が存在する（例えば、特許文献１参照）。また近年では、メダル投入口に投入された遊技メダルを検知スイッチに基づいて検出した時点で、麻雀牌の図柄を表示装置に適宜の組み合わせで自動的に表示（つまり自動配牌）する機能を備えた雀球遊技機も知られている。
【０００３】
上記従来の雀球遊技機では、表示装置に表示される手牌のうちから不要な牌（以下、不要牌とも言う）が切り捨てられた際、１個の遊技球を再度打ち出しし得る状態となり、これら切り捨て操作（捨て牌操作）及び再打ち出し操作が所定回数以内にて繰り返し行われ、所定の上がり役が完成した時点で得点が計算され、その得点に応じた数の遊技メダルが払い出される。
【０００４】
【特許文献１】特開平７−３９６２３号公報（図１、図４及び図７参照）
【発明の開示】
【発明が解決しようとする課題】
【０００５】
ところで、上述したような従来の雀球遊技機では、入球口への入球による配牌や自動による配牌で得られた麻雀牌図柄の組合せを見た場合、麻雀遊技に慣れた遊技者であれば、どの上がり役を狙うのが適切であるかを速やかに決めて、捨て牌操作を迅速に行うことができる。しかしながら、麻雀遊技に慣れていない遊技者にあっては、どの上がり役を狙うかをなかなか決めることができず、捨て牌操作に必要以上の時間が掛かって遊技進行の迅速化を損なう虞がある。
【０００６】
そこで本発明は、麻雀遊技の技量の程度に拘わらず、配牌後に狙うべき上がり役を遊技者に速やかに決定させ得るように構成し、もって上述した課題を解決した雀球遊技機を提供することを目的とするものである。
【課題を解決するための手段】
【０００７】
請求項１に係る本発明は（例えば図１ないし図１０参照）、複数の牌種からなる麻雀牌の図柄に対応させて遊技盤面（２）内に設けられた複数の入球口（１１ａ，１１ｂ，１１ｃ，１１ｄ，…）と、種々の遊技情報を表示する表示装置（１４）とを備え、前記各入球口（１１ａ，１１ｂ，１１ｃ，１１ｄ，…）への遊技球の入球により得られた手牌の麻雀牌図柄の組合せによって上がり役を成立させるように遊技し得る雀球遊技機（１）であって、
複数種の上がり役を配牌に基づいた役完成の可能性が高い順に前記表示装置（１４における５５ａ〜５９ａ）に表示してこれら複数種の上がり役のうちから所望の上がり役を選択させる上がり役選択手段（ＴＰ，Ｐ１４）と、
前記上がり役選択手段（ＴＰ，Ｐ１４）にて選択された被選択上がり役の完成時の予想得点を、前記各入球口（１１ａ，１１ｂ，１１ｃ，１１ｄ，…）への遊技球の入球で得られる手牌の図柄組合せの変化に応じて逐次算出する予想得点算出手段（Ｐ１５）と、
前記予想得点算出手段（Ｐ１５）によって算出された予想得点を前記被選択上がり役に対応させた形で前記表示装置（１４における５５ｂ〜５９ｂ）に表示する表示制御手段（Ｐ３２３）とを備えてなる、
ことを特徴とする雀球遊技機（１）にある。
【０００８】
請求項２に係る本発明は（例えば図９参照）、前記表示制御手段（Ｐ３２３）が、開始された１ゲームの進行中、順次変化する手牌の状態に応じて前記被選択上がり役の完成時の予想得点を随時変更しつつ表示してなる、
ことを特徴とする請求項１に記載の雀球遊技機（１）にある。
【０００９】
請求項３に係る本発明は（例えば図４及び図７参照）、開始された１ゲーム内にて前記遊技盤面（２）に向けて発射可能な遊技球の個数を検出する遊技球数検出手段（Ｐ１６）を更に備え、
前記予想得点算出手段（Ｐ１５）は更に、前記被選択上がり役の完成時に、前記遊技球数検出手段（Ｐ１６）にて検出された遊技球数を確認しつつ、開始された１ゲームの終了までに前記被選択上がり役を超える得点を得られる上がり役の完成に要する牌数を算出し、
前記表示制御手段（Ｐ３２３）は更に、前記予想得点算出手段（Ｐ１５）による前記牌数の算出結果を前記表示装置（１４における５５ｃ〜５９ｃ）に表示してなる、
ことを特徴とする請求項１又は２に記載の雀球遊技機（１）にある。
【００１０】
請求項４に係る本発明は（例えば図４及び図７参照）、前記表示装置（１４における３５）に前記配牌として表示すべき所定数の麻雀牌図柄を１ゲームの開始に際して自動決定する配牌図柄決定手段（Ｐ５）を更に備えてなる、
ことを特徴とする請求項１ないし３のいずれか１項に記載の雀球遊技機（１）にある。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、上がり役選択手段が、配牌に基づく完成の可能性が高い順に複数種の上がり役を表示装置に表示してこれら複数種の上がり役のうちから所望の上がり役を選択させ、予想得点算出手段が、被選択上がり役の完成時の予想得点を手牌の図柄組合せの変化に応じて逐次算出し、表示制御手段が、算出された予想得点を上がり役に対応させた形で表示装置に表示するので、遊技者は、完成可能性の高い順に表示された被選択上がり役の名称を視認しつつ所望のものを選択した時点でその上がり役の完成時の予想得点を認識することができる。従って、麻雀遊技に関する技量の程度に拘わらず、どの上がり役を狙うのが適切であるかを速やかに決めて、捨て牌操作を迅速に行うことができる。これにより、麻雀遊技に不慣れな遊技者が、どの上がり役を狙うかの選択に迷い、捨て牌操作に必要以上の時間が掛かって遊技進行の迅速化を損なうような問題の発生を回避することができる。
【００１３】
請求項２に係る本発明によると、表示制御手段が、開始された１ゲームの進行中、順次変化する手牌の状態に応じて、被選択上がり役の完成時の予想得点を随時変更しつつ表示するので、遊技者は、いわゆる一九牌が無くなって平和がタンヤオも含むようになったりドラ牌が増えたりするなどで、ゲーム進行に伴い変化する上がり役完成時の予想得点を常に認識しながら、興趣の高い遊技を進めることができる。
【００１４】
請求項３に係る本発明によると、遊技球数検出手段が、開始された１ゲーム内にて遊技盤面に向けて発射可能な遊技球の個数を検出し、予想得点算出手段が、１ゲーム終了までに、被選択上がり役を超える得点を得られる上がり役の完成に要する牌数を算出し、表示制御手段が、当該牌数の算出結果を表示装置に表示するので、ゲーム開始時に選択した被選択上がり役が完成した時点で、この上がり役を超える得点を得られる上がり役があと何牌で完成するかを遊技者に認識させることができる。従って、遊技者は、上がり役相互間の得点差を意識することで、ゲーム開始時に選択した被選択上がり役の完成時に、得点を更に上げ得るか否かを確認するための試し打ちをする必要がなく、無駄打ちを回避することができる。
【００１５】
請求項４に係る本発明によると、表示装置に配牌として表示すべき所定数の麻雀牌図柄を１ゲームの開始に際して自動決定する配牌図柄決定手段を備えるので、１ゲーム開始時の配牌が自動的に行われることで、遊技者の負担を軽減することができる。
【発明を実施するための最良の形態】
【００１６】
以下、本発明に係る雀球遊技機の実施形態として、遊技場等に設置される雀球遊技機について図１ないし図１０を参照して説明する。本雀球遊技機においては、２７種の牌の図柄を各４個、計１０８個の牌を使用して遊技を行う雀球遊技機を例にして説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。
【００１７】
なお、上記した２種の数牌は、例えば、萬子を「一萬」〜「九萬」の９種類の図柄、索子を「一索」〜「九索」の９種類の図柄から構成し、字牌は筒子の「一筒」と「九筒」、及び「東」「南」「西」「北」「白」「發」「中」から構成される麻雀牌の図柄を有する雀球遊技機にすることも可能である。また例えば、索子を「一索」〜「九索」の９種類の図柄、筒子を「一筒」〜「九筒」の９種類の図柄から構成し、字牌は筒子の「一萬」と「九萬」、及び「東」「南」「西」「北」「白」「發」「中」から構成される麻雀牌の図柄を有する雀球遊技機にすることも可能である。
【００１８】
図１は、本実施形態における雀球遊技機１の全体を示す正面図である。同図に示すように、本雀球遊技機１の前面部は、基本的には遊技盤面部（遊技盤面）２、操作パネル３、操作パネル３の下方に設けられた遊技球発射レバー４、メダル受け皿５、音声や効果音（以下、音声という）を出力する音声出力装置であるスピーカー６、ランプ装置７等から構成されている。
【００１９】
図１及び図２に示すように、ガイドレール８に囲まれた遊技盤面部２の略中央部には、所要の演出表示を行うための液晶表示装置３８が配置され、該液晶表示装置３８の上方には、可変入球口（特別入球口とも言う）としてのアタッカー９が配置されている。またアタッカー９の上方には、ドットマトリクス表示器３９（図６参照）及びセグメント表示器（図示せず）を有する表示部３７が配置され、液晶表示装置３８の左右には、遊技球振り分け装置１２の振り分け部材１２ａ，１２ｂが配設され、アタッカー９の左右には、遊技球が通過可能な可変入球口作動口としてのアタッカー作動通過口１０ａ，１０ｂが配置されている。
【００２０】
上記液晶表示装置３８は、遊技盤面部２から図１紙面の奥側に後退するように配置されている。また、上記遊技球振り分け装置１２は、雀球遊技機１の電源がオンされた時点から絶えず左右方向に連続的に往復移動する振り分け部材１２ａ，１２ｂの当該移動を妨げないようにするため、該振り分け部材１２ａ，１２ｂ以外の箇所が図１紙面の奥側に後退するように構成されている。これら液晶表示装置３８、及び遊技球振り分け装置１２の振り分け部材１２ａ，１２ｂ以外の箇所の下部には、後述する入球口１１ｃ、１１ｄ、１１ｅ、…の上方に若干の隙間をあけた形で当該入球口１１ｃ、１１ｄ、１１ｅ、…の略全域に亘るように左右方向に延在する遊技球ステージＳが設けられている。これら入球口１１ｃ〜１１ｅ、…と遊技球ステージＳとの間には、入球口１１ｃ〜１１ｅ、…の直ぐ上方にて各入球口の入球幅を規制するための多数の障害釘（図示せず）が打ち込まれている。なお、遊技盤面部２には、風車（図示せず）や上記とは別の障害釘（図示せず）が多数設けられている。
【００２１】
また、液晶表示装置３８と表示部３７との間における左右には入球口１１ａ，１１ｂが配置されており、上記遊技球ステージＳの下方には、複数個（本実施形態では２５個）の入球口１１ｃ、１１ｄ、１１ｅ、…が配設されている。入球口１１ａ、１１ｂ、１１ｃ、１１ｄ、１１ｅ、…は、二索から八索までの索子牌を除いた牌の図柄２７種（図柄は図示せず）に対応して、２７個が設けられている。入球口１１ａ，１１ｂには夫々「一索」と「九索」が表示されており、また入球口１１ｃには「一萬」、入球口１１ｄには「二萬」、入球口１１ｅには「三萬」というように、所要の麻雀牌図柄が順次表示されている。
【００２２】
操作パネル３には、図３に示すように、液晶表示装置等から構成される表示装置１４、メダル投入口１５、及び各種の操作ボタンが設けられている。この各種の操作ボタンは、１３個のボタンが横方向に並設された捨て牌ボタン１６ａ、１６ｂ、…、１６ｍ、自摸牌捨てボタン１７、リーチボタン１８、牌選択右シフトボタン１９、牌選択左シフトボタン２０、自摸牌決定ボタン２１、払い出しボタン２２、遊技終了ボタン２３、遊技開始ボタン２４、ＲＥＪＥＣＴボタン２５から構成されている。なお、遊技者がこれらの各ボタンを操作する（押下してスイッチをオンする）と、例えば、自摸牌決定ボタン２１を操作すると自摸牌決定信号が発生し、この信号がマイクロコンピュータから構成される制御基板に入力される。そして、制御基板に搭載されているソフトウエア（プログラム）は、入力された信号ごとに、ゲームを進行させるために予め設定された処理を実行するようになっている。
【００２３】
表示装置１４には、その表示面に種々の表示部が設定され、遊技者に対してゲームの進行に応じて必要な情報や画像及び演出用画像をこの表示部に表示するようにしている。例えば、図４に示すように、表示面の上部横方向には、遊技メダル貯留枚数表示部２６、残り遊技球数表示部２７、風牌表示部２８、表ドラ表示部２９、裏ドラ表示部３０、上がり牌表示部３１、上がり役選択表示部５４、特別遊技のうち、ビッグゲームの権利を得ることができる上がり役を示すビッグゲーム上がり役表示部３２、更に、チャンスゲームの権利を得ることができる上がり役を示すチャンスゲーム上がり役表示部３３、捨て牌の図柄を表示する捨て牌表示部３４が設けられ、ゲームの進行に応じて牌の図柄、演出画像、数値等が表示される。
【００２４】
更に、表示装置１４の表示面の下部横方向には、１３個の手牌の図柄を表示する手牌表示部３５、及び自摸した牌の図柄を表示する自摸牌表示部３６が設けられている。なお、手牌表示部３５及び自摸牌表示部３６に表示している各図柄の下部には、捨て牌ボタン１６ａ、１６ｂ、…、に対応するボタン名（Ａ、Ｂ、Ｃ、Ｄ、Ｅ、・・・）が表示されている。また、表示される麻雀牌の図柄はカラーで表示される。
【００２５】
ここで、上記表示装置１４に配置された上がり役選択表示部５４について、図４及び図５を参照して詳細に説明する。すなわち、上がり役選択表示部５４は、上下方向に複数段（本実施形態では５段）に分割された表示エリアを有しており、各表示エリアは、上がり役表示部５５ａ，５６ａ，５７ａ，５８ａ，５９ａと、予想得点表示部５５ｂ，５６ｂ，５７ｂ，５８ｂ，５９ｂと、予想牌数表示部５５ｃ，５６ｃ，５７ｃ，５８ｃ，５９ｃとを備えて構成される。
【００２６】
上がり役表示部５５ａ〜５９ａは夫々、メダル投入口１５に遊技メダル（図示せず）が投入され、後述の自動配牌プログラム（配牌図柄決定手段）Ｐ５によって自動決定された所定数（本実施形態では１４個）の麻雀牌図柄が手牌表示部３５及び自摸牌表示部３６に配牌として表示されて１ゲームが開始された時点で、当該配牌に基づく完成の可能性（即ち、与えられた配牌を使って役作りを進める際の役完成の可能性）が高い順に複数（本実施形態では５個）の上がり役の名称を表示する。そして、上がり役表示部５５ａ〜５９ａには、タッチパネルＴＰが夫々配設されている。これらタッチパネル（タッチセンサ）ＴＰは、後述の上がり役選択プログラムＰ１４とによって、上がり役表示部５５ａ〜５９ａに表示された複数種の上がり役のうちから所望の上がり役を選択させるための上がり役選択手段を構成している。
【００２７】
予想得点表示部５５ｂ〜５９ｂは、後述の予想得点算出プログラム（予想得点算出手段）Ｐ１５によって算出された予想得点を上がり役に対応させた形で、後述の表示制御プログラム（表示制御手段）Ｐ３２３による制御で表示する。
【００２８】
予想牌数表示部５５ｃ〜５９ｃは、表示制御プログラムＰ３２３の制御に従って、上がり役があと何牌で完成するかの予想得点算出プログラムＰ１５による算出結果（つまり、上がり役完成に要する牌数）を表示する。
【００２９】
ついで、本雀球遊技機１の制御系に関して詳細に説明する。即ち、雀球遊技機１の内部の所定位置には、本実施形態の雀球遊技機１の作動を制御するための制御基板が搭載されている。この制御基板は、例えば、図６に示すように、メイン制御基板Ｋａ、サブ制御基板Ｋｂ、画像制御基板Ｋｃ、画像制御基板Ｋｄから構成されている。メイン制御基板Ｋａ、サブ制御基板Ｋｂ、画像制御基板Ｋｃ、画像制御基板Ｋｄは、それぞれＣＰＵ４０、ＲＯＭ４１、ＲＡＭ４２、各種センサや捨て牌ボタン１６ａ等の各種操作ボタン等との信号の入出力を行うための入出力インターフェイス回路４３、及び制御基板Ｋａ、Ｋｂ、Ｋｃとの通信を行うための通信用インターフェイス回路４４等を備えたマイクロコンピュータから構成されている。なお、メイン制御基板Ｋａの入出力インターフェイス回路４３における「入出力」とは、各種操作ボタン等からの信号を「入力」し、当該入力信号に基づいた信号（コマンド等）を「出力」するという、一方向の信号の流れを意味する。
【００３０】
そして、雀球遊技機１の作動を制御、或いは表示装置１４、液晶表示装置３８及び表示部３７に情報や画像を表示するための各種のソフトウエア（プログラム）は、各制御基板Ｋａ、Ｋｂ、Ｋｃ、Ｋｄに搭載されたＲＯＭ４１に記憶されている。また、各ＲＡＭ４２は、これらプログラムが作動するときに各種のデータの読み込みやデータの作成、計算等を行うための記憶エリア、計算エリアとして使用される。また、メイン制御基板Ｋａとサブ制御基板Ｋｂ、サブ制御基板Ｋｂと画像制御基板Ｋｃ、サブ制御基板Ｋｂと画像制御基板Ｋｄとは、ケーブル線Ｔ１、Ｔ２により接続されてデータ通信ができるようになっている。なお、ＣＰＵ４０としては、各メイン制御基板Ｋａ、サブ制御基板Ｋｂ、画像制御基板Ｋｃ、画像制御基板Ｋｄの処理機能に対応して８ビット、１６ビット或いは３２ビットのＣＰＵや、これらを超えるビット数のＣＰＵ等のうち何れかを採用することができる。
【００３１】
なお、サブ制御基板Ｋｂに搭載されているＲＯＭ４１の所定の記憶番地には、画像制御基板Ｋｃを介して表示装置１４及びスピーカー６に、また画像制御基板Ｋｄを介して液晶表示装置３８に夫々表示するための各種の画像データ、各種の音声データが記憶されている。この画像データとしては、２７種の牌の図柄データ、雀球遊技機１の電源をＯＮした時に初期画面として表示する画像データ、遊技者が上がり役を完成させたとき等に表示する各種の演出用画像データがある。また、各種の音声データとしては、遊技の進行に伴って遊技者に対してゲームの進行を支援するための音声、或いは演出用の効果音を出力するためのデジタルデータがある。
【００３２】
メイン制御基板Ｋａに搭載されているＲＯＭ４１には、雀球遊技機１の遊技の進行を制御するための各種のプログラムが記憶されている。メイン制御基板ＫａのＲＯＭ４１に搭載されているプログラムは、例えば、図７に示すように、メイン基板動作制御プログラムＰ１、通信制御プログラムＰ２、メダル管理プログラムＰ３、遊技球管理プログラムＰ４、自動配牌プログラムＰ５、特別遊技役抽選プログラムＰ６、表ドラ及び裏ドラを決定するためのドラ抽選プログラムＰ７、入賞判定プログラムＰ８、自摸牌選択支援プログラムＰ９、開放条件判定プログラムＰ１０、条件連続判定プログラムＰ１１、選択中図柄抽選プログラムＰ１２、図柄表示プログラムＰ１３、上がり役選択プログラムＰ１４、予想得点算出プログラムＰ１５、及び遊技球数検出プログラムＰ１６等から構成される。
【００３３】
メイン基板動作制御プログラムＰ１は、雀球遊技機１の全体の動作を統括するプログラムであり、主に下記のような処理を行う。
（１）遊技機１の電源がＯＮされたときの初期化の処理、例えば、電源ＯＮ時の初期化制御コマンドをサブ制御基板Ｋｂ、サブ制御基板Ｋｂを経由して画像制御基板Ｋｃに送信する。この制御コマンドに基づいて、サブ制御基板Ｋｂと画像制御基板Ｋｃは電源ＯＮ時の初期化処理を行う。これにより、画像制御基板Ｋｃは、電源ＯＮ時の演出用画像や音声等を出力することができる。
（２）各種の入出力センサから入力される信号を解析し、その信号に対応した処理を行うように雀球遊技機１の動作を制御する。例えば、遊技者が遊技球を発射したときに入球した入球口からの入球信号を解析し、この入球口に対応する牌の図柄を自摸牌として手牌データに追加（自摸の操作）する処理、或いは遊技者が捨て牌ボタン１６ａ等を操作して手牌から不要な牌を切る操作（捨て牌操作）を行ったときに、どの捨て牌ボタンからの信号であるかを解析し、この捨て牌ボタンに対応する牌の図柄を手牌データから削除する処理、等を行う。
（３）自動配牌プログラムＰ５が作動して遊技開始時の１４個の手牌が決定されたときに、この手牌の図柄データをＲＡＭ４２に手牌データとして手牌記憶領域に記憶する処理、この手牌データをサブ制御基板Ｋｂに送信するための処理、及び上記（１）、（２）の処理において遊技者が捨て牌操作、自摸の操作を行う都度、現在の手牌データ、捨て牌、自摸牌に関する牌の図柄データ（以下、図柄コードという）をサブ制御基板Ｋｂに送信するための処理、等を行う。
【００３４】
通信制御プログラムＰ２は、サブ制御基板Ｋｂとの通信を行うためのプログラムであり、送信するデータは如何なる処理を行うかを予め設定した制御コマンドと共に、この制御コマンドに必要なデータが送信される。また、画像制御基板Ｋｃにデータを送信する場合には、サブ制御基板Ｋｂを経由してデータが送信されることになる。
【００３５】
メダル管理プログラムＰ３は、ゲームの進行に伴ってメダルの貯留枚数の管理と払い出しの処理を行うためのプログラムである。メイン基板動作制御プログラムＰ１はメダル投入口１５からメダルの投入信号等を検出すると、メダル管理プログラムＰ３に下記の処理を行わせる。
（Ａ）メダル投入口１５からメダルの投入信号を検出すると、ＲＡＭ４２に記憶している遊技メダル貯留枚数を「１」加算する。
（Ｂ）遊技開始ボタン２４からの信号を検出すると、上記遊技メダル貯留枚数を「３」減算する。
（Ｃ）上がり時に、遊技終了ボタン２３からの信号を検出すると、その上がり役で獲得したメダル枚数をＲＡＭ４２に記憶している遊技メダル貯留枚数に加算する。
（Ｄ）払い出しボタン２２の信号を検出したとき、貯留枚数分のメダルをメダル受け皿５に払い出すように制御信号を出し、メダルがメダル受け皿５に１枚払い出されるごとに遊技メダル貯留枚数を「１」減算する処理を行う。
【００３６】
遊技球管理プログラムＰ４は、メイン基板動作制御プログラムＰ１の制御に基づいて、次の処理を行うプログラムである。
（ａ）ゲーム開始時に、ＲＡＭ４２に記憶する残り遊技球数を１４個に設定する。
（ｂ）捨て牌ボタン１６ａ等から捨て牌の操作信号を検出すると、遊技球発射位置（図示せず）に遊技球を１球送る制御を行う。
（ｃ）遊技球発射レバー４から発射された遊技球が入球口１１ａ、１１ｂ、１１ｃ、…の何れかに入球し、その入球信号が検出されると、残り遊技球数を「１」減算し、入球した入球口に対応する牌の図柄コードを作成する。
【００３７】
自動配牌プログラムＰ５は、１ゲームの開始時に、１４個の配牌の図柄をランダムに自動的に決定するためのプログラムである。この自動配牌プログラムＰ４は、乱数発生手段により発生した乱数を利用して、本雀球遊技機１で使用する１０８個の麻雀牌から１４個の配牌の図柄を決定する処理を行う。
【００３８】
自動配牌プログラムＰ５は、例えば、次のような処理を行うことにより、ゲーム開始時に、必要とする１４個の牌の図柄を決定することができる。
（ア）本雀球遊技機１において使用される牌の図柄は、二索から八索までの索子牌を除く２７種の牌、計１０８個である。これら使用される牌には、表１に示すように、２７種の牌の図柄に、０１Ｈ〜１ＢＨの図柄コード（１６進数）を付与し、更に、各２７種から構成される計１０８個の図柄に０〜１０７までの数値を４個割り付けたデータテーブルを予めＲＯＭ４０に登録しておく。
（イ）自動配牌プログラムＰ５には、例えば、５桁の乱数を発生させる乱数発生プログラムを備えておく。そして、自動配牌プログラムＰ５は、乱数発生プログラムで発生させた５桁の乱数を１０８で除算し、その余りを算出する。続いて、表１を参照してこの余りの値に対応する牌の図柄コードを０１Ｈ〜１ＢＨから求め、この図柄コードが配牌される図柄として決定する。
（ウ）上記（イ）の処理を計１４回実施して、ゲーム開始時に、必要とする１４個の牌の図柄を決定する。なお、この５桁の乱数を発生させるプログラムには、毎回異なる乱数が発生するようにランダマイズ処理を行うプログラムを付加しておく必要がある。このような処理により決定した１４個の配牌の図柄コードはＲＡＭ４２の手牌記憶領域に記憶しておく。なお、手牌記憶領域に記憶した１４個の配牌データは図柄コードの上昇順にソートして記憶する。
【００３９】
【表１】
2006230521.tif 000003
【００４０】
特別遊技役抽選プログラムＰ６は、予め設定されている上がり役の中から１ゲームごとに特別遊技の権利を獲得できる上がり役を抽選により決定するプログラムである。当該特別遊技には、ビッグゲームの権利を獲得できる上がり役とチャンスゲーム（レギュラーゲームとも言う）の権利を獲得できる上がり役とがある。例えば、ビッグゲームの権利を獲得できる上がり役は、「大三元」、「国士無双」、「九連宝燈」の３種の上がり役から１種を抽選により決定する。
【００４１】
また、チャンスゲームの権利を獲得できる上がり役は、例えば、「一気通貫」、「七対子」、「三暗刻」、「平和」、「一盃口」、「タンヤオ」の６種の上がり役から２種を抽選により決定する。なお、この特別遊技の権利を獲得できる上がり役を抽選により決定する方法は、プログラム処理により所定桁数の乱数を発生させてＲＡＭ４２に記憶し、この乱数を利用して決定することができる。
【００４２】
ドラ抽選プログラムＰ７は、ゲーム開始時に、同様にして抽選により表ドラ及び裏ドラを決定するためのプログラムである。
【００４３】
入賞判定プログラムＰ８は、自動配牌プログラムＰ５により１４個の手牌が決定したとき、及び遊技者が自摸の操作を行ったときに、手牌が予め設定された上がり役の組み合わせになっているかどうかを判定するためのプログラムである。この上がり役としては、表２に示すような構成のデータテーブル、即ち、上がり役のコード（表２には上がり役のコードは表示せず）とその上がり役に対して遊技者が獲得できる得点（獲得メダル枚数）が予め入賞判定プログラムＰ８、又はＲＯＭ４１に記憶されている。そして、現在の１４個の手牌について、入賞判定プログラムＰ８が上がり役を完成していると判定した場合には、メイン制御基板Ｋａは、上がり役完成の制御コマンドとその上がり役のコード、獲得した得点等を、サブ制御基板Ｋｂを経由して画像制御基板Ｋｃに伝送する処理を行う。
【００４４】
【表２】
2006230521.tif 000004
【００４５】
自摸牌選択支援プログラムＰ９は、特別遊技の権利を獲得したゲームにおいて、アタッカー９に遊技球が入球した信号が入力されると、遊技者に対して、表示装置１４の画面と対話方式により自摸する牌の図柄を選択する操作を支援するためのプログラムである。
【００４６】
開放条件判定プログラムＰ１０は、アタッカー作動通過口１０ａ，１０ｂに設けられた入球センサ（図示せず）からの入球信号を受けて、アタッカー９の開放の契機となるアタッカー作動通過口１０ａ，１０ｂへの入球の有効／無効を判定する開放条件装置を構成するプログラムである。当該開放条件判定プログラムＰ１０は、ビッグゲーム役の成立時に、例えば、３回（３ラウンド）開放動作するアタッカー９に対しその１回の開放につき５個入球させる該アタッカー９の残り開放回数（開放条件装置残り連続作動回数）を検出しその旨の信号を出力する。なお、本実施形態における上記アタッカー作動通過口１０ａ，１０ｂへの「入球」とは、一般的な意味の「入球」と共に、ゲートを単に通過する旨も含む概念である。
【００４７】
条件連続判定プログラムＰ１１は、開放条件判定プログラムＰ１０による入球判定に応じて開放したアタッカー９をその閉塞後に再度開放させる条件を判定する。
【００４８】
選択中図柄抽選プログラムＰ１２は、１回のみ開放動作する際のアタッカー９に対して５個入球させて任意の麻雀牌図柄を捨て牌操作し得るチャンスゲーム役（レギュラーゲーム役）の成立時、当該レギュラーゲーム役の実施中に取得できた場合にビッグゲーム役に移行できる麻雀牌図柄である役物作動時選択中図柄を抽選により決定しその旨の信号を出力する。
【００４９】
図柄表示プログラムＰ１３は、メイン基板動作制御プログラムＰ１により検出される手牌及び捨て牌に関する情報と、上記役物作動時選択中図柄に関する情報と、ドラ抽選プログラムＰ７により検出される表ドラに関する情報と、ドラ抽選プログラムＰ７により検出される裏ドラに関する情報と、特別遊技役抽選プログラムＰ６により抽選された、レギュラーゲームの対応役である開放条件装置作動図柄（組み合わせからなる図柄）、及びビッグゲームの対応役である条件連続装置作動図柄（組み合わせからなる図柄）に関する情報と、メダル管理プログラムＰ３により検出される遊技メダル貯留枚数及び遊技メダル獲得枚数に関する情報と、遊技球管理プログラムＰ４により検出される残り遊技球数に関する情報と、開放条件判定プログラムＰ１０により検出される開放条件装置残り連続作動回数に関する情報、及び複数回（例えば３回）開放動作するアタッカー９の１回の開放につき入球し得る５球のうちの残り球数（可変入球口残り入球数）に関する情報とを受けて、夫々の情報に応じた表示をドットマトリクス表示器３９（図６参照）やセグメント表示器（図示せず）に行わせる制御を実行する。
【００５０】
上がり役選択プログラムＰ１４は、メダル投入口１５へのメダル投入に伴い、自動配牌プログラムＰ５によって自動決定された１４個の麻雀牌図柄が手牌表示部３５及び自摸牌表示部３６に配牌として表示されて１ゲームが開始された時点で、５種類の上がり役の名称を、配牌に基づいた役完成の可能性が高い順に、表示制御プログラムＰ３２３を介して、上がり役表示部５５ａ，５６ａ，５７ａ，５８ａ，５９ａに表示する。また、上がり役選択プログラムＰ１４は、上がり役表示部５５ａ〜５９ａに対応するタッチパネル（タッチセンサ）ＴＰの何れかが接触操作された際に発せられた信号に基づき、上がり役表示部５５ａ〜５９ａに表示された複数種の上がり役のうちから、接触操作に対応する（遊技者所望の）上がり役（以下、「被選択上がり役」とも言う）を選択決定する。上がり役選択プログラムＰ１４は、タッチパネルＴＰとによって上がり役選択手段を構成している。なお、被選択上がり役を選択決定する手段としては、上記タッチパネルＴＰに限らず、例えば、牌選択右シフトボタン１９及び牌選択左シフトボタン２０を兼用できるようにし、これらボタン１９，２０を操作してスクロールさせながら被選択上がり役を選択決定するように構成することも可能である。
【００５１】
予想得点算出プログラム（予想得点算出手段）Ｐ１５は、タッチパネルＴＰの被操作に応答した上がり役選択プログラムＰ１４によって選択された被選択上がり役の完成時の予想得点を、手牌の図柄組合せの変化に応じて逐次算出する。予想得点算出プログラムＰ１５は更に、タッチパネルＴＰの被操作に応答した上がり役選択プログラムＰ１４によって選択された被選択上がり役の完成時に、遊技球数検出プログラムＰ１６によって検出された遊技球数を確認しつつ、開始された１ゲームの終了までに上記被選択上がり役を超える得点を得られる上がり役があと何牌で完成するか（つまり、当該上がり役の完成に要する牌数）を算出する。
【００５２】
遊技球数検出プログラム（遊技球数検出手段）Ｐ１６は、遊技球管理プログラムＰ４からの検出信号に基づき、開始された１ゲーム内にて遊技盤面部２に向けて発射可能な遊技球の個数を検出する。
【００５３】
また、サブ制御基板ＫｂのＲＯＭ４１に搭載されているプログラムは、図８に示すように、サブ基板動作制御プログラムＰ２１、通信制御プログラムＰ２２、ランプ制御プログラムＰ２３、上がり牌判定プログラムＰ２４、等から構成されている。更に、この上がり牌判定プログラムＰ２４は、聴牌パターン判定プログラムＰ２４１、上がり牌種判定プログラムＰ２４２、上がり牌判定抽出プログラムＰ２４３を備えて構成される。
【００５４】
サブ基板動作制御プログラムＰ２１は、メイン制御基板Ｋａから伝送された各種の制御コマンドを解読し、各制御コマンドに対応して上記各プログラムの実行を制御するプログラムである。
【００５５】
通信制御プログラムＰ２２は、メイン制御基板Ｋａからのデータの受信と画像制御基板Ｋｃとの通信処理を行うプログラムである。画像制御基板Ｋｃは、サブ制御基板Ｋｂから送信されたこれら各種の制御コマンドとその制御データ等を受信すると、プログラム処理により表示装置１４や液晶表示装置３８に演出用の画像や情報を表示し、更に、スピーカー６から演出用の音声や効果音を出力する。
【００５６】
ランプ制御プログラムＰ２３は、メイン制御基板Ｋａから伝送された制御コマンドとその制御データに基づいて、ランプ７等の点灯と消灯の制御を行うためのプログラムである。
【００５７】
上がり牌判定プログラムＰ２４は、遊技者が捨て牌の操作を行った後に、メイン制御基板Ｋａから送信された現在の１３個の手牌に基づいて、予め設定された上がり役を完成させるために遊技者が行う所要の操作を支援（例えば、自摸すべき牌をアシスト）するためのプログラムである。この上がり牌判定プログラムＰ２４は、遊技者が現在の１３個の手牌に自摸の操作を行って１個の牌を追加した場合に、上がり役（被選択上がり役）を完成させることができる牌（上がり牌）の有無を判定すると共に、予め自摸すべき牌を支援する処理（図１及び図２の液晶表示装置３８や図４の上がり牌表示部３１への表示処理）を、後述の画面表示プログラムＰ３２を介して行うためのプログラムである。そして、上がり牌判定プログラムＰ２４は、上がり役を完成させるため自摸すべき牌が抽出された場合には、この牌の図柄を画像制御基板Ｋｃに表示させる制御を行う。
【００５８】
メイン制御基板Ｋａのメイン基板動作制御プログラムＰ１は、遊技者が遊技球を発射して自摸の操作を行って手牌が１４個になると、入賞判定プログラムＰ８を作動させて上がり役を完成させたか否かの判定を行う。そして、上がり役を完成していない場合には、遊技者が１４個の手牌の中から不要な１個の牌を捨てる「捨て牌の操作」を行う都度、手牌記憶領域に記憶している１３個になった手牌の図柄コードを制御コマンドと共にサブ制御基板Ｋｂに送信する。このとき、１３個の図柄コードは上昇順にソートされてサブ制御基板Ｋｂに送信される。サブ制御基板Ｋｂのサブ基板動作制御プログラムＰ２１は、この１３個の手牌の図柄コードを受信すると、受信したデータをＲＡＭ４２に記憶した後、制御を上がり牌判定プログラムＰ２４に移行させる。すると、上がり牌判定プログラムＰ２４は、順次、聴牌パターン判定プログラムＰ２４１、上がり牌種判定プログラムＰ２４２、上がり牌判定抽出プログラムＰ２４３を作動させる。
【００５９】
なお、上がり牌判定抽出プログラムＰ２４３が、所定の処理で判定して抽出し、ＲＡＭ４２に記憶した上がり牌の図柄コードの全てを画像制御基板Ｋｃ、Ｋｄに制御コマンドと共に送信して、画像制御基板Ｋｃに対してこの上がり牌の図柄コードに対応する図柄を表示させるための制御を行った際、サブ制御基板Ｋｂの上がり牌判定プログラムＰ２４は、上がり牌の図柄コードを受信した時点で、画面表示プログラムＰ３２のゲーム演出表示プログラムＰ３２１２等を介して、受信した上がり牌の図柄コードの図柄を上がり牌の候補として上がり牌表示部３１及び液晶表示装置３８に表示する。このとき、スピーカー６から音声を出力させるようにしてもよい。この場合、上がり牌表示部３１及び液晶表示装置３８双方には上がり牌のアシスト（支援）等に関する表示が同時進行的に行われるが、その際、液晶表示装置３８上の表示は、上がり牌等の表示に加えて、演出用キャラクタを用いた画像表示が行われる。これにより、麻雀遊技に初心の遊技者は、上がり牌表示部３１や液晶表示装置３８の表示を見て、上がり役を完成することができる牌に対応する入球口を狙って遊技球を発射させることができるようになる。
【００６０】
ついで、図９を参照して、画像制御基板ＫｃのＲＯＭ４１に搭載されているプログラムについて説明する。このプログラムは、画像基板動作制御プログラムＰ３１、画像表示プログラムＰ３２、及び音声・効果音出力プログラムＰ４１等から構成されている。以下、これらプログラムの処理内容の概要について説明する。
【００６１】
画像基板動作制御プログラムＰ３１は、サブ制御基板Ｋｂから送信された各種の制御コマンドを解読し、これら制御コマンドに対応して上記各プログラムの実行を制御するプログラムである。
【００６２】
画面表示プログラムＰ３２、音声・効果音出力プログラムＰ４１は、サブ制御基板Ｋｂから送信された制御コマンドとその制御データに基づいて、各種の演出用の画像を表示装置１４に表示する処理と、各種の演出用の音声や効果音をスピーカー６から出力する処理とを行う。
【００６３】
画面表示プログラムＰ３２は、サブ制御基板Ｋｂから送信されてきた制御コマンドとその制御データに基づいて、表示装置１４に画像や数値情報等を表示する処理を行うプログラムであり、通常遊技画面表示プログラムＰ３２１と、特別遊技画面表示プログラムＰ３２２と、表示制御プログラム（表示制御手段）Ｐ３２３とを備えて構成される。
【００６４】
通常遊技画面表示プログラムＰ３２１は、雀球遊技機１の電源ＯＮ時から、遊技者が通常の遊技遊技を行っているときに、表示装置１４に各種の演出画像や遊技者に対して支援する各種の画像を表示する処理を行うプログラムであり、サブプログラムとして初期演出表示プログラムＰ３２１１、ゲーム演出表示プログラムＰ３２１２を備えている。
【００６５】
初期演出表示プログラムＰ３２１１は、電源ＯＮ時の演出画面、例えば、風景画面を表示装置１４に表示する等の処理を行う。
【００６６】
ゲーム演出表示プログラムＰ３２１２は、図４に示すような内容の画面を表示装置１４に表示する等の機能を備えて構成される。例えば、遊技の進行に伴って遊技者が捨て牌の操作、通常遊技のゲームの場合は遊技球の発射による自摸牌の操作等を行うごとに、メイン制御基板Ｋａからサブ制御基板Ｋｂを経由して送信された制御コマンドとその制御データに基づいて、現在の手牌の図柄、捨て牌の図柄、及びサブ制御基板Ｋｂから送信されてきた上がり牌と判定された牌の図柄を表示する処理、上がり役を完成したときその上がり役を獲得した得点数を表示する処理、等各種の表示手段を備えたプログラムから構成される。
【００６７】
特別遊技画面表示プログラムＰ３２２は、遊技者が特別遊技の権利を獲得したときに各種の演出用の画面を表示装置１４に表示する処理を行うプログラムである。この特別遊技画面表示プログラムＰ３２２は、更に、遊技者が特別遊技の権利を獲得することができる上がり役を完成した時点に演出表示する権利獲得演出表示プログラムＰ３２２１、自摸牌候補選択支援プログラムＰ３２２２を備えている。
【００６８】
権利獲得演出表示プログラムＰ３２２１は、表示装置１４の上がり牌表示部３１に上がり役の説明表示とビッグゲーム権利成立の表示とを所定の時間間隔で交互に表示し、遊技者にビッグゲームの権利が成立したことを知らせる処理を行う。
【００６９】
自摸牌候補選択支援プログラムＰ３２２２は、遊技者が特別遊技の権利を獲得したときに作動されるプログラムであり、表示装置１４に表示された自摸牌の候補の図柄を牌選択右シフトボタン１９、或いは牌選択左シフトボタン２０を操作してスクロールさせながら、対話方式により自摸すべき牌の図柄を選択する操作を支援する。
【００７０】
表示制御プログラム（表示制御手段）Ｐ３２３は、上がり役選択プログラムＰ１４にて選出された、今回開始された１ゲーム（当該ゲームとも言う）での自動配牌プログラムＰ５による配牌に照らし合わせた結果で役完成の可能性が高い上がり役を、画面表示プログラムＰ３２を介してサブ制御基板Ｋｂから送信された制御コマンドとその制御データに基づき、上がり役表示部５５ａ，５６ａ，５７ａ，５８ａ，５９ａに可能性の高い順に表示する。つまり、上がり役表示部５５ａに最も可能性の高いものが表示され、この上がり役表示部５５ａから表示部５９ａに向かって順に可能性の低いものが表示されることとなる。
【００７１】
表示制御プログラムＰ３２３は更に、開始された１ゲームの進行中、順次変化する手牌の状態に応じて上記選択された被選択上がり役の完成時の予想得点を随時変更しつつ、予想得点表示部５５ｂ〜５９ｂの対応するものに表示するように制御する。また、表示制御プログラムＰ３２３は、上がり役があと何牌で完成するか（上がり役の完成に要する牌数）の上記予想得点算出プログラムＰ１５による上記算出結果を、予想牌数表示部５５ｃ〜５９ｃに表示するように制御する。
【００７２】
音声・効果音出力プログラムＰ４１は、サブ制御基板Ｋｂから送信された制御コマンドとその制御データに基づいて、遊技の進行に伴って各種の演出用音声、及び効果音をスピーカー６から出力するためのプログラムである。
【００７３】
また、図示はしないが、画像制御基板ＫｄのＲＯＭ４１には、画像制御基板Ｋｃで述べた画像基板動作制御プログラムＰ３１や画面表示プログラムＰ３２と同様の機能を有するプログラムが搭載されている。なお、当該画像制御基板ＫｄのＲＯＭ４１に搭載された、画面表示プログラムＰ３２と同様の機能のプログラムによると、例えば、上がり牌に係るアシスト時の演出に関しては、画面表示プログラムＰ３２により表示装置１４に表示されるアシスト演出用画像とは異なる内容が表示されることとなる。
【００７４】
上記した各制御基板Ｋａ、Ｋｂ、Ｋｃ、Ｋｄの動作を制御するプログラムは、アセンブラ言語、Ｃ言語或いはVisual Basic言語等を利用して開発され、各基板のＣＰＵ４０が実行可能なプログラムである機械語プログラムに翻訳したプログラムとして各制御基板Ｋａ、Ｋｂ、Ｋｃ、ＫｄのＲＯＭ４１に記憶されている。
【００７５】
続いて、上述した雀球遊技機１の遊技手順とこの手順に伴う各プログラムの処理の概要について、図１０のフローチャートを参照しつつ説明する。
【００７６】
１遊技（ゲーム）は、遊技者がメダル投入口１５へメダルを投入して、遊技開始ボタン２４を押圧して、自動配牌プログラムＰ５が１４個の手牌を配牌することによりスタートする。そして、遊技者が捨て牌ボタン１６ａ、１６ｂ、…、等の各種の操作ボタンやセンサから発生する入力信号及び制御信号に基づいて作動する各プログラムの制御に従って、１遊技は進行して行くことになる。
【００７７】
まず、ステップＳ１の初期設定処理において、雀球遊技機１の電源がＯＮされると、メイン制御基板Ｋａのメイン基板動作制御プログラムＰ１は、メイン制御基板ＫａのＲＡＭ４２の記憶領域を初期化する。続いて、メイン基板動作制御プログラムＰ１は、電源ＯＮ時の初期化制御コマンドをサブ制御基板Ｋｂに、サブ制御基板Ｋｂはこの初期化制御コマンドを画像制御基板Ｋｃ、Ｋｄに伝送する。サブ制御基板Ｋｂ、画像制御基板Ｋｃ、Ｋｄはこの初期化制御コマンドを受信すると、ＲＡＭ４２の記憶領域を初期化すると共に、画像制御基板Ｋｃに搭載されている初期演出表示プログラムＰ３２１１は、電源ＯＮ時の演出画面、例えば、風景画面を表示装置１４に表示する等の処理を行う。
【００７８】
なお、サブ制御基板Ｋｂがこの電源ＯＮ時の初期化制御コマンドを受信すると、サブ基板動作制御プログラムＰ２１は、前記したようにサブ制御基板ＫｂのＲＯＭ４１に記憶している各種の画像データ、音声・効果音データを画像制御基板Ｋｃに伝送し、画像制御基板Ｋｃの画像基板動作制御プログラムＰ３１は、受信したこれら画像、音声・効果音データをＲＡＭ４２に記憶する処理を行う。
【００７９】
そして、ステップＳ２の遊技進行処理において、遊技者がメダル投入口１５にメダルを投入すると、メイン基板動作制御プログラムＰ１がそのメダル投入信号を検出し、これに伴いメダル管理プログラムＰ３が遊技メダル貯留枚数を「１」加算する処理を行う。続いて、遊技者が遊技開始ボタン２４を押圧し、メイン基板動作制御プログラムＰ１がこの遊技開始ボタン２４からゲーム開始信号を検出すると、１ゲームの遊技が開始できる状態になる。すると、メイン基板動作制御プログラムＰ１は、ゲーム開始の制御コマンドを、サブ制御基板Ｋｂを経由して画像制御基板Ｋｃに伝送する。画像制御基板Ｋｃのゲーム演出表示プログラムＰ３２１２は、この制御コマンドに基づいて、ゲーム開始時の演出画像を表示装置１４に表示すると共に、音声・効果音出力プログラムＰ４１により音声をスピーカー６から出力する。このようにして、雀球遊技機１の１ゲームが開始される。
【００８０】
続いて、ステップＳ３の配牌処理では、メイン基板動作制御プログラムＰ１の制御により、自動配牌プログラムＰ５が作動して、ゲームを開始するために必要な１４個の配牌の図柄をプログラム処理により自動的に決める。自動配牌プログラムＰ５は、自動配牌した１４個の図柄コードをＲＡＭ４２の手牌記憶領域に順次記憶した後、所定の順序、例えば、図柄コードの上昇順、すなわち、萬子、筒子、索子、風牌、三元牌の順に並び替えて（ソート）手牌記憶領域に記憶する。
【００８１】
引き続き、自動配牌プログラムＰ５は、この１４個の配牌された図柄コードを、制御コマンドと共にサブ制御基板Ｋｂに送信する。サブ制御基板Ｋｂのサブ基板動作制御プログラムＰ２１は、この配牌された図柄コードを受信するとＲＡＭ４２に記憶すると共に、画像制御基板Ｋｃにこれら１４個の配牌された図柄コードを送信する。
【００８２】
サブ制御基板Ｋｂのサブ基板動作制御プログラムＰ２１は、メイン制御基板Ｋａから送信された１４個の配牌の図柄コードについて、現時点の遊技の場において開示されている牌の開示個数を開示個数テーブルにカウントする処理を行う。また、画像制御基板Ｋｃのゲーム演出表示プログラムＰ３２１２は、１４個の配牌の図柄コードを受信すると、図４に示すような牌の図柄の画像を表示装置１４の手牌表示部３５と自摸牌表示部３６に表示する処理を行う。なお、１４個の自動配牌が決定されていない間は、手牌表示部３５、自摸した牌の図柄を表示する自摸牌表示部３６には、初期画面として牌の裏面又は無表示の図柄を表示する処理を行う。
【００８３】
そして、ステップＳ４の上がり役選択処理では、メダル投入口１５へのメダル投入に伴い、自動配牌プログラムＰ５によって自動決定された１４個の麻雀牌図柄が手牌表示部３５及び自摸牌表示部３６に配牌として表示されて１ゲームが開始された時点で、配牌に照らし合わせて上がり役選択プログラムＰ１４が選出した完成の可能性が高い５個の上がり役の名称を、表示制御プログラムＰ３２３が上がり役表示部５５ａ〜５９ａに順に表示する。
【００８４】
続いて、ステップＳ５の特別遊技役等決定表示処理では、特別遊技役抽選プログラムＰ６（ただし、通常遊技の遊技を行っているときに作動する）、及びドラ抽選プログラムＰ７の各プログラムが作動して、ビッグゲームの権利が獲得できる上がり役（ビッグゲーム役）とチャンスゲームの権利が獲得できる上がり役（チャンスゲーム役）の決定、表ドラ、裏ドラの決定を行う。そして、これらのプログラムＰ６、Ｐ７の処理により決定されたビッグゲーム上がり役及びチャンスゲーム上がり役、表ドラ、裏ドラの図柄の各データ（コード化されたデータ）は、制御コマンドと共にサブ制御基板Ｋｂを経由して画像制御基板Ｋｃに送信される。
【００８５】
画像制御基板Ｋｃのゲーム演出表示プログラムＰ３２１２は、ビッグゲーム役及びチャンスゲーム役を獲得できる上がり役のコード、表ドラ及び裏ドラの図柄コードを受信すると、ビッグゲーム役とチャンスゲーム役をそれぞれビッグゲーム上がり役表示部３２、チャンス上がり役表示部３３、表ドラを表ドラ表示部２９等に表示する処理を行う。
【００８６】
そして、ステップＳ６の遊技開始処理において、メイン基板動作制御プログラムＰ１は、自動配牌された１４個の牌の図柄、ビッグゲーム役、チャンスゲーム役、表ドラ等を表示装置１４に表示させる制御が完了すると、表示装置１４に遊技の開始条件が整ったことを遊技者に画面表示又は音声で知らせるように制御する。続いて、メイン基板動作制御プログラムＰ１は、入賞判定プログラムＰ８を作動させて、自動配牌された１４個の手牌が既に上がり役を完成しているか否かを判定させる処理を行う。この判定処理で上がり役を完成している場合には、入賞判定プログラムＰ８は、予め設定された如何なる上がり役で上がっているかの判定と遊技者が獲得できる得点（獲得メダル枚数）を前記表２のデータを参照して決定する。更に、入賞判定プログラムＰ８は、これら上がり役、獲得した得点等を、サブ制御基板Ｋｂを経由して画像制御基板Ｋｃに送信する。画像制御基板Ｋｃは、これら上がり役と獲得した得点等を受信すると、ゲーム演出表示プログラムＰ３２１２は、表示装置１４に上がり役、獲得した得点、その他の演出画像を表示装置１４に所定の時間ほど表示する処理を行う。
【００８７】
自動配牌された１４個の牌の図柄が上がり役を完成していない場合には、メイン基板動作制御プログラムＰ１は、遊技者に手牌の中から不要な１個の牌を捨てる操作を促すための画面表示を行う制御コマンドを、サブ制御基板Ｋｂを経由して画像制御基板Ｋｃに送信する。画像制御基板Ｋｃはこの制御コマンドを受信すると、ゲーム演出表示プログラムＰ３２１２は、手牌の中から不要な１個の牌を捨てる操作を促すためのメッセージを表示装置１４及び液晶表示装置３８に表示する処理を行う。このとき、音声・効果音出力プログラムＰ４１を作動させて、音声と共に促す処理を行うようにしてもよい。
【００８８】
そして、ステップＳ７の被選択上がり役選択処理では、遊技者が、上がり役表示部５５ａ〜５９ａに夫々表示された上がり役を視認しながら勘案し、自分にとって遊技し易い、当該ゲームにて狙うべき上がり役（被選択上がり役）を選択する。例えば、図５に示すように、上がり役表示部５５ａ〜５９ａの夫々に、配牌に基づく完成の可能性が高い順に「平和」「チャンタ」「混一色」「一気通貫」「ジュンチャン」と表示された場合に、遊技者がチャンタを狙うべく上がり役表示部５６ａを接触操作すると、その対応するタッチパネルＴＰが動作して信号を発するため、上がり役選択プログラムＰ１４が、上がり役表示部５６ａに対応する当該信号に基づき、上がり役表示部５６ａに表示された上がり役である「チャンタ」を選択決定する。この際、表示制御プログラムＰ３２３は、上がり役表示部５６ａの画面表示を一層明るく点灯させるように表示制御する。
【００８９】
ステップＳ８の予想得点表示処理において、目標の被選択上がり役を「チャンタ」とする１ゲームが開始されると、予想得点算出プログラムＰ１５は、選択された上記上がり役の完成時の予想得点を、手牌の図柄組合せの変化に応じて逐次算出し、表示制御プログラムＰ３２３が、画面表示プログラムＰ３２を介してサブ制御基板Ｋｂから送信された制御コマンドとその制御データに基づき、予想得点算出プログラムＰ１５で算出された予想得点を、上がり役に対応させた形で予想得点表示部５５ｂ〜５９ｂの何れか（この場合は、上がり役表示部５６ａに対応する予想得点表示部５６ｂ）に表示する。
【００９０】
更に、ステップＳ９の捨て牌・自摸牌処理において、遊技者は、手牌表示部３５と自摸牌表示部３６に表示されている牌の図柄から、捨て牌を選択する操作を行うことになる。そして、遊技者は捨てる牌の図柄を決定すると、この捨て牌の図柄に対応する捨て牌ボタン１６ａ、１６ｂ、１６ｃ、…、或いは自摸牌捨てボタン１７のいずれか１つを選択（オン）してこの牌を捨てる。この捨て牌選択信号に基づいて、メイン基板動作制御プログラムＰ１は、捨て牌操作を行って捨て牌とした牌の図柄コードをＲＡＭ４２に記憶し、更に、ＲＡＭ４２の手牌記憶領域に記憶している手牌の中から捨て牌とした図柄コードを削除して、手牌を１３個にする処理を行う。
【００９１】
続いて、メイン基板動作制御プログラムＰ１は、この捨て牌とした図柄コードと、１３個になった手牌の図柄コードを制御コマンドと共に、サブ制御基板Ｋｂとサブ制御基板Ｋｂを経由して画像制御基板Ｋｃに送信する処理を行う。画像制御基板Ｋｃのゲーム演出表示プログラムＰ３２１２は、捨て牌とした図柄コードを受信するとその図柄コードに対応する牌の図柄を捨て牌表示部３４に表示し、１３個の手牌の図柄コードを受信するとこれらの図柄コードに対応する牌の図柄を手牌表示部３５に表示する処理を行う。このとき、自摸牌表示部３６には、図４に示すように、牌の裏面等を表示するようにする。
【００９２】
一方、サブ制御基板Ｋｂのサブ基板動作制御プログラムＰ２１は、上記１３個の手牌の図柄コードを受信すると、上がり牌判定プログラムＰ２４を構成する聴牌パターン判定プログラムＰ２４１、上がり牌種判定プログラムＰ２４２、上がり牌判定抽出プログラムＰ２４３を作動させて、前記したように、現在の１３個の手牌に対して、上がり役を完成させるために次に自摸すべき牌（自摸牌）の有無を判定し、上がり役を完成させる牌（自摸牌）が抽出された場合には、この牌の図柄を表示装置１４に表示させる処理を行う。
【００９３】
続いて、ステップＳ１０の遊技球発射処理において、メイン制御基板Ｋａのメイン基板動作制御プログラムＰ１は、上記した遊技者による捨て牌・自摸牌の操作に関する処理が終了すると、遊技球管理プログラムＰ４を作動させて、遊技球を遊技球発射位置に一球送る処理を行う。すると、遊技者は、遊技球発射レバー４を操作して、遊技盤面２内に遊技球を発射できる状態になる。
【００９４】
遊技者が遊技球を発射し、この遊技球が入球口１１ａ、１１ｂ、１１ｃ、…の何れかに入球すると、夫々に備えられたセンサが遊技球を検出して入球信号が発生する。遊技球管理プログラムＰ４はこの入球信号を解読し、入球した入球口に対応する牌（自摸牌）の図柄コードを手牌記憶領域に記憶する処理を行う。
【００９５】
続いて、ステップＳ１１の手牌判定処理において、入賞判定プログラムＰ８が作動し、１４個となった手牌が上がり役を完成しているか否かを判定する。そして、手牌が上がり役を完成している場合には、前記したように、予め設定された如何なる上がり役で上がっているかの判定と遊技者が獲得できる得点を求め、これらのデータを、サブ制御基板Ｋｂを経由して画像制御基板Ｋｃに送信する処理を行う。一方、上がり役を完成していない場合には、前記したように、遊技者は１４個の手牌の中から不要と思われる１個の牌を捨てる捨て牌の操作を行うことになる。
【００９６】
このようにして、遊技者が遊技球発射レバー４を操作して遊技盤面２内に遊技球を発射して、聴牌状態になり、かつ残り遊技球数表示部２７に「１」以上の数値の表示がある場合、遊技者は牌を捨てる操作を行う前に、リーチボタン１８を操作してリーチをかけることができる。ただし、前記条件を満たしていない場合（聴牌状態になっていない場合）には、リーチボタン１８を操作してリーチをかけることができない。リーチボタン１８を操作した後は、捨て牌ボタン１６ａ、１６ｂ、１６ｃ、…のいずれか１つを操作して手牌の中から１つの牌の図柄を捨てるか、自摸牌捨てボタン１７を操作して自摸牌切りを行うと、捨て牌表示部３４に捨て牌の図柄が横向きに表示するようにする。また、裏ドラ表示部３０には裏ドラの図柄を表示する表示も行う。
【００９７】
このリーチ操作に関する制御は、例えば、次のような処理を行う。まず、メイン基板動作制御プログラムＰ１は、リーチボタン１８の操作信号を検出し、更に捨て牌ボタン１６ａ、１６ｂ、等からの操作信号を検出後、入賞判定プログラムＰ８の聴牌判定処理により現在の手牌が聴牌状態になっているとの判定結果が得られると、リーチがかかったという制御コマンドを、サブ制御基板Ｋｂを経由して画像制御基板Ｋｃに送信する。画像制御基板Ｋｃのゲーム演出表示プログラムＰ３２１２は、この制御コマンドを受信すると、この直後に送信されてくる捨て牌の図柄コードの図柄は、捨て牌表示部３４に横向きに表示する処理を行う。
【００９８】
なお、ゲームの場がリーチ状態になると、遊技者が発射した遊技球が入球口１１ａ、１１ｂ、１１ｃ、…に入球した図柄に対応する牌（自摸牌）が上がりを完成させる牌にならないときには、メイン基板制御プログラムＰ１は、この自摸牌を自動的に捨て牌として処理するようにする。これにより、遊技者は、リーチ操作後は捨て牌ボタン１６ａ、…等を操作する必要がなくなる。
【００９９】
入賞判定プログラムＰ８の制御により、１遊技で獲得できる得点は、例えば、最高１０点までとしその上限が設定されている。また、上がり役が２種類以上同時に成立した場合には、それぞれの上がり役に与えられる得点が加算された得点がそのゲームの得点になる。同様に、手牌中に表ドラ及び裏ドラと同一の牌の図柄が含まれている場合には、そのドラ牌に対しても得点、例えば、ドラ１個に付き１点の得点が加算される。ゲームで獲得した得点の１点がメダル１枚に該当する。ただし、当該ゲームで獲得した得点数の合計が１０点を超えた場合は、獲得できるメダル枚数（得点）は全て１０枚になる。
【０１００】
そして、ステップＳ１２の上がり役完成時処理において、１ゲームの開始時に遊技者によって選択された上がり役が完成した場合、予想得点算出プログラムＰ１５は、遊技球数検出プログラムＰ１６による検出結果に基づき、当該ゲーム内にて発射可能な遊技球数を確認しつつ、この１ゲーム終了までに上記選択された被選択上がり役を超える得点を得られる上がり役があと何牌で完成するかを算出する。
【０１０１】
更に、表示制御プログラムＰ３２３が、画面表示プログラムＰ３２を介してサブ制御基板Ｋｂから送信された制御コマンドとその制御データに基づき、予想牌数表示部５５ｃ〜５９ｃに、上がり役があと何牌で完成するかの予想得点算出プログラムＰ１５による算出結果を表示するように制御する。この場合、上がり役選択表示部５４では、当該ゲームにて完成した被選択上がり役の「チャンタ」を表示した上がり役表示部５６ａはそのままにした状態で、他の上がり役表示部５５ａ，５７ａ，５８ａ，５９ａに、完成した被選択上がり役を超える得点を得られる上がり役が表示され、かつその対応する予想牌数表示部５５ｃ，５７ｃ，５８ｃ，５９ｃに、それら上がり役があと何牌で完成するかの算出結果が表示される。
【０１０２】
ここで、遊技者は、他の上がり役表示部５５ａ，５７ａ，５８ａ，５９ａに表示された新たな上がり役と、それらに対応して予想牌数表示部５５ｃ，５７ｃ，５８ｃ，５９ｃに表示された予想牌数とを視認しつつ勘案し、上記完成した被選択上がり役「チャンタ」よりも得点の高い他の上がり役に興味を持った際には、新たに選択すべき上がり役を表示した上がり役表示部５５ａ，５７ａ，５８ａ，５９ａの何れかを接触操作する。これにより、当該接触操作された上がり役表示部５５ａ，５７ａ，５８ａ，５９ａの何れかが、被選択上がり役「チャンタ」を明るく表示していた上がり役表示部５６ａに代わって明るく表示され、遊技球数検出プログラムＰ１６にて検出される遊技球数が維持される間、新たに選択された上がり役を狙ったゲームが展開されることとなる。
【０１０３】
以上説明した本実施形態の雀球遊技機１では、上がり役選択手段としてのタッチパネルＴＰ及び上がり役選択プログラムＰ１４によって、配牌に基づく完成の可能性が高い順に複数種の上がり役の名称を上がり役選択表示部５４の上がり役表示部５５ａ〜５９ａに表示しこれら複数種の上がり役のうちから所望の上がり役を選択させ、予想得点算出プログラムＰ１５が、選択された被選択上がり役の完成時の予想得点を、手牌の図柄組合せの変化に応じて逐次算出し、表示制御プログラムＰ３２３が、算出された予想得点を被選択上がり役に対応させた形で予想得点表示部５５ｂ〜５９ｂに表示する。これにより、遊技者は、完成可能性の高い順に表示された上がり役の名称を視認しつつ所望の上がり役を選択した時点でその被選択上がり役の完成時の予想得点を認識することができる。従って、麻雀遊技に関する技量の程度に拘わらず、どの上がり役を狙うのが適切であるかを速やかに決めて、捨て牌操作を迅速に行うことができるようになる。これにより、麻雀遊技に不慣れな遊技者が、どの上がり役を狙うかの選択に迷い、捨て牌操作に必要以上の時間が掛かって遊技進行の迅速化を損なうような問題の発生を回避することができる。
【０１０４】
また、本雀球遊技機１では、表示制御プログラムＰ３２３が、開始された１ゲームの進行中、順次変化する手牌の状態に応じて、選択された被選択上がり役の完成時の予想得点を随時変更しつつ表示するので、遊技者は、いわゆる一九牌が無くなって平和がタンヤオも含むようになったりドラ牌が増えたりするなどで、ゲーム進行に伴い変化する上がり役完成時の予想得点を常に認識しながら、興趣の高い遊技を進めることができる。
【０１０５】
更に、本雀球遊技機１では、遊技球数検出プログラムＰ１６が、開始された１ゲーム内にて遊技盤面部２に向けて発射可能な遊技球の個数を検出し、予想得点算出プログラムＰ１５が、１ゲーム終了までに、被選択上がり役を超える得点を得られる上がり役があと何牌で完成するかを算出し、表示制御プログラムＰ３２３が、上がり役があと何牌で完成するかの上記算出結果を予想牌数表示部５５ｃ〜５９ｃに表示する。これにより、ゲーム開始時に選択した被選択上がり役が完成した時点で、この被選択上がり役を超える得点を得られる上がり役があと何牌で完成するかを遊技者に認識させることができる。従って、遊技者は、上がり役相互間の得点差を意識することで、ゲーム開始時に選択した被選択上がり役の完成時に、得点を更に上げ得るか否かを確認するための試し打ちを必要とせず、無駄打ちを回避できる。また、表示装置１４に配牌として表示すべき所定数（本実施形態では１４個）の麻雀牌図柄を１ゲームの開始に際して自動決定する自動配牌プログラムＰ５を備えるので、１ゲーム開始時の配牌が自動的に行われることで、遊技者の負担を軽減することができる。
【０１０６】
以上、本発明をその好適な実施の形態に基づいて説明したが、本発明の雀球遊技機は、上記実施形態の構成にのみ限定されるものではなく、上記実施形態の構成から種々の修正及び変更を施した雀球遊技機も、本発明の範囲に含まれる。
【図面の簡単な説明】
【０１０７】
【図１】本発明に係る実施形態における雀球遊技機を示す正面図である。
【図２】図１における遊技盤面部を抜粋して示す正面図である。
【図３】図１における操作パネルの構成を示す正面図である。
【図４】図１における表示装置に表示する画面例を説明するための図である。
【図５】図４における画面内の上がり役選択表示部を詳細に示す図である。
【図６】本雀球遊技機の動作を制御するための制御基板の構成例を示す図である。
【図７】図６に示すメイン制御基板に搭載されているプログラムの構成例を示す図である。
【図８】図６に示すサブ制御基板に搭載されているプログラムの構成例を示す図である。
【図９】図６に示す画像制御基板に搭載されているプログラムの構成例を示す図である。
【図１０】本実施形態における作用を示すフローチャートである。
【符号の説明】
【０１０８】
１：雀球遊技機
２：遊技盤面部（遊技盤面）
１１ａ，１１ｂ，１１ｃ，１１ｄ，…：入球口
１４：表示装置
５５ａ〜５９ａ：上がり役表示部
５５ｂ〜５９ｂ：予想得点表示部
５５ｃ〜５９ｃ：予想牌数表示部
Ｐ５：自動配牌プログラム（配牌図柄決定手段）
Ｐ１４：上がり役選択プログラム（上がり役選択手段）
Ｐ１５：予想得点算出プログラム（予想得点算出手段）
Ｐ１６：遊技球数検出プログラム（遊技球数検出手段）
Ｐ３２３：表示制御プログラム（表示制御手段）
ＴＰ：タッチパネル（上がり役選択手段）
【図１】
2006230521.tif 000005
【図２】
2006230521.tif 000006
【図３】
2006230521.tif 000007
【図４】
2006230521.tif 000008
【図５】
2006230521.tif 000009
【図６】
2006230521.tif 000010
【図７】
2006230521.tif 000011
【図８】
2006230521.tif 000012
【図９】
2006230521.tif 000013
【図１０】
2006230521.tif 000014